(57)【特許請求の範囲】
【請求項１】
ロールペーパーの収納空間が形成されたホルダ本体と、一端側にカット部が形成されるとともに、他端側に上記ホルダ本体側に回動自在に支持される支持部が形成された紙切板と、上記紙切板のカット部側を上記ホルダ本体内の上記ロールペーパー側に加圧させる弾性部材とを有するロ−ルペ−パ−ホルダ−において、
一端側が上記ホルダ本体側に支持され、他端の自由端側に突起部が形成された片持ち状の板バネと、上記ホルダ本体に回動自在に支持されるとともに、上記紙切板の上記支持部が取り付けられて、この紙切板と一体的に回動するレバ−部材とを有し
かつ、上記弾性部材を、一端側が上記ホルダ本体側に、他端側が上記レバー部材にそれぞれ取り付けられ、上記レバー部材を介して上記紙切板に一方向にのみ回動させるような力を与える引張コイルバネとし、
さらに、上記レバ−部材に、上記弾性部材の弾性力に抗しつつ上記紙切板を回動させることにより、上記板バネを弾性変形させて上記突起部を乗り越えるが、上記弾性部材の弾性力により上記突起部に係合して、上記紙切板を、上記ロ−ルペ−パ−の着脱の邪魔にならない位置に保持する爪部を設けていることを特徴とするロ−ルペ−パ−ホルダ−。
【請求項２】
前記ホルダ本体側に、前記レバ−部材を回動自在に支持する軸受部が形成されていることを特徴とする請求項１記載のロ−ルペ−パ−ホルダ−。
【請求項３】
前記レバ−部材の前記軸受部と、前記板バネの支持部と、前記弾性部材の前記一端側の取付部と、前記紙切板の前記支持部と上記レバ−部材とを接続するための接続孔とが形成された部品組付ボックスが、前記ホルダ本体と別体となるように形成されていることを特徴とする請求項２記載のロ−ルペ−パ−ホルダ−。
【請求項４】
前記板バネが、前記ホルダ本体又は前記部品組付ボックスと一体となるように形成されていることを特徴とする請求項１又は３記載のロ−ルペ−パ−ホルダ−。
【発明の詳細な説明】
【０００１】
【発明の属する技術分野】
この発明は、トイレットペ−パ−のようなロ−ルペ−パ−を回動自在に支持するロ−ルペ−パ−ホルダ−に関するものであり、更に詳しくは、一端側にカット部が形成された紙切板の他端側にホルダ本体側に回動自在に支持される支持部が形成され、かつ、紙切板のカット部側が、弾性部材によって、ロ−ルペ−パ−側に加圧されているロ−ルペ−パ−ホルダ−に関するものである。
【０００２】
【従来の技術】
図１０は２連式の従来のロールペーパーホルダーの外観を示す図であり、図１１はその紙切板の動作説明図である。
【０００３】
このロールペーパーホルダーは、図１０で示されるように、樹脂材によって一体的に形成されるホルダ本体１００に、Ｌ形の左及び右アーム部１００ａ，１００ｂや中央アーム部１００ｃが形成されており、かつ、これらのアーム部１００ａ，・・・ の下部に、ロールペーパーＲを回動自在に支持する芯受け１０１が取り付けられているとともに、これらのアーム部１００ａ，・・・ の後部に、支持部１０２ａ（図１１参照）を介して、紙切板１０２が回動自在に支持されたものである。この紙切板１０２には、図１１で示されるように、支持部１０２ａに、レバー部材１０３を介して、Ｖ状の樹脂バネ１０４の一端側が連結されている。この樹脂バネ１０４は、他端１０４ａ側がホルダ本体１００側に支持されていて、図１１の（ａ）で示されるように、紙切板１０２のカット部１０２ｂ側をロールペーパーＲ側に加圧する働きを有している。
【０００４】
また、ホルダ本体１００のアーム部１００ａ，・・・ の前部側には、ケーシング１０５ａ内にバネ部材（図示せず）とピン部材１０５ｂとが収納され、バネ部材を介してピン部材１０５ｂを出没させるカッターホルダ１０５が取り付けられている。このカッターホルダ１０５は、図１１の（ｂ）で示されるように、紙切板１０２のカット部１０２ｂ側を、樹脂バネ１０４の弾性力に抗して上向きに回動させることにより、ピン部１０５ｂが紙切板１０２の側部に係合して、この紙切板１０２をロールペーパーＲの着脱の邪魔にならない位置に保持する動きを有している。
【０００５】
以上のように、このロールペーパーホルダーでは、紙切板１０２のカット部１０２ｂ側がロールペーパーＲ側に加圧されているため、ペーパーの片手カットが簡単にできるとともに、ロールペーパーＲの着脱に当たり、紙切板１０２を邪魔にならない位置に保持できるため、ロールペーパーＲの装着や取り外しの容易化を図ることができる。
【０００６】
なお、このロールペーパーホルダーでは、芯受け１０１がホルダ本体１００側に板バネを介して回動自在に支持されていて、例えば、ロールペーパーＲを、前方から後方に向かって、このロールペーパーホルダー内に押し込むことにより、芯受け１０１が板バネとともに回動して、このロールペーパーＲを芯受け１０１上に回動自在に支持させることができる。
【０００７】
ところで、カッターホルダ１０５は、本来的にはバネ部材とピン部材１０５ｂとから構成されるものである。ところが、これらをホルダ本体１００側に機能できるように組み込むには、これらの支持部や案内部をホルダ本体１００側に形成する必要があり、ホルダ本体１００の構成の複雑化を招いて、ホルダ本体１００の一体成形を困難にする。このため、このロールペーパーホルダーでは、バネ部材とピン部材１０５ｂとをケーシング１０５ａに組み込むことにより、カッターホルダ１０５を形成し、このカッターホルダ１０５をホルダ本体１００の凹部１００ｄ，１００ｅ中に嵌め込むようにしている。なお、樹脂バネ１０４とレバー部材１０３もホルダ本体１００の凹部１００ｅ中に組み込まれる。
【０００８】
【発明が解決しようとする課題】
しかしながら、上記従来のロールペーパーホルダーでは、カッターホルダ１０５の構成部品として、バネ部材とピン部材１０５ｂとは必要であり、まだまだ、紙切板１０２の保持機構の構成が複雑であるという問題があった。また、カッターホルダ１０５のケーシング１０５ａの形状が複雑であり、この製作が容易ではないとともに、バネ部材やピン部材１０５ｂをケーシング１０５ａ中に組み込む作業も容易ではないという問題があった。
【０００９】
さらに、このロールペーパーホルダーでは、カッターホルダ１０５のピン部材１０５ｂが外部から見えてしまい、見栄えがよくないという問題もあった。
【００１０】
この発明は、以上の点に鑑み、紙切板の保持機構を単純化して、製作費の低減や製作時間の短縮を図ることができるとともに、見栄えもよいロールペーパーホルダーを提供することを目的とする。
【００１１】
【課題を解決するための手段】
この発明の請求項１記載の発明は、ロールペーパーの収納空間が形成されたホルダ本体と、一端側にカット部が形成され、他端側にホルダ本体側に回動自在に支持される支持部が形成された紙切板と、紙切板のカット部側をホルダ本体内のロールペーパー側に加圧させる弾性部材とを有するロ−ルペ−パ−ホルダ−において、一端側がホルダ本体側に支持され、他端の自由端側に突起部が形成された片持ち状の板バネと、ホルダ本体に回動自在に支持されるとともに、紙切板の支持部が取り付けられて、この紙切板と一体的に回動するレバ−部材とを有し、かつ、弾性部材を、一端側がホルダ本体側に、他端側がレバー部材にそれぞれ取り付けられ、レバー部材を介して紙切板に、一方向にのみ回動させるような力を与える引張コイルバネとし、さらに、レバ−部材に、弾性部材の弾性力に抗しつつ紙切板を回動させることにより、板バネを弾性変形させて突起部を乗り越えるが、弾性部材の弾性力により突起部に係合して、紙切板を、ルペ−パ−の着脱の邪魔にならない位置に保持する爪部を設けていることである。
【００１２】
この発明では、紙切板の支持部に取り付けられたレバー部材に、弾性部材によって弾性力が加えられることにより、紙切板のカット部側がロールペーパー側に加圧される。また、紙切板のカット部側を、弾性部材の弾性力に抗しつつ回動させることにより、レバー部材の爪部が、板バネを弾性変形させてこの板バネの突起部を乗り越え、この突起部に係合するため、この紙切板はロールペーパーの着脱の邪魔にならない位置に容易に保持される。そして、ロールペーパーの着脱が終了した後、この紙切板のカット部側を上記と逆方向に強く回動させれば、レバー部の爪部は、再び、板バネの突起部を乗り越え、紙切板のカット部側が、弾性部材によってロールペーパー側に加圧されて、このロールペーパーが使用できる状態となる。
【００１３】
この発明の請求項２記載の発明は、請求項１記載の発明の場合において、ホルダ本体側に、レバ−部材を回動自在に支持する軸受部が形成されていることである。
【００１４】
この発明では、レバー部材に弾性部材によって弾性力が加えられても、このレバー部材や紙切板の支持部に変形等が生じることはない。
【００１５】
この発明の請求項３記載の発明は、請求項２記載の発明の場合において、レバ−部材の軸受部と、板バネの支持部と、弾性部材の一端側の取付部と、紙切板の支持部とレバ−部材とを接続するため接続孔とが形成された部品組付ボックスが、ホルダ本体と別体となるように形成されていることである。
【００１６】
この発明では、レバー部材、弾性部材、板バネを部品組付ボックス内に組み付けた後、この部品組付ボックスをホルダ本体に取り付けることにより、これらの部品をホルダ本体側に組み付けることができる。
【００１７】
この発明の請求項４記載の発明は、請求項１又は３記載の発明の場合において、板バネが、ホルダ本体又は部品組付ボックスと一体となるように形成されていることである。
【００１８】
この発明では、ホルダ本体や部品組付ボックスを、例えば、樹脂成形品から形成することにより、板バネを、簡単に、これらと一体に形成できる。
【００１９】
【発明の実施の形態】
以下、この発明の実施の形態を図面を参照しつつ説明する。
図１はこの発明の一実施の形態に係るロールペーパーホルダーを備えた収納キャビネットの外観斜視図、図２はこの収納キャビネットの側面図である。
【００２０】
この収納キャビネット１は、図１で示されるように、上部側が２つのトイレットペーパーＲを装着できる２連式のロールペーパーホルダーＡとなり、下部側が収納部Ｂとなったもので、図２で示されるように、後部側を壁Ｗの開口部Ｗ１内に埋め込むようにして、トイレ等に設置される。収納部Ｂは、樹脂成形によって一体的に形成された外ケーシングＢ１と、この外ケーシングＢ１内に収納され、上部側が下部側のピンＢ１０を中心に前後に回動して開閉される収納ボックスＢ２とから構成されている。この収納ボックスＢ２は、内部に物が収納できるように上面側が開放されているとともに、外側面に、開閉時に外ケーシングＢ１側の案内ピンＢ１１に沿って移動する案内溝（図示せず）が形成されている。なお、この収納ボックスＢ２は、予備のトイレットペーパーＲを収納したり、トイレ用洗剤を収納するのに用いられる。
【００２１】
ロールペーパーホルダーＡは、図３及び図４で示されるように、収納部Ｂの外ケーシングＢ１と一体に形成されたホルダ本体２と、４つの芯受けセット３と、２つの紙切板４と、部品組付ボックス５と、２つのレバー部材６と、弾性部材としての２つのコイルバネ７と、２つのバネカバー８と、板バネ９と、２つの軸押え１０と、後部カバー１１と、棚板１２とから構成されている。なお、これらの構成品は、コイルバネ７を除いて、すべて樹脂材によって形成されている。
【００２２】
ホルダ本体２は、図３で示されるように、天板部２０と、側壁部２１と、底壁部２２と、後壁部２３とによって形成される、前面側が開放した箱状空間を、天板部２０の中間部から下方に延びる仕切部２４によって左右に２分割して、内部に一対のロール収納空間Ｓ１を形成したものである。天板部２０は、後部側にロール収納空間Ｓ１側に連通する横スリット２０ａが左右一杯に亘って形成されているとともに、仕切部２４側が開放されていて、この仕切部２４側に、上方が開放した部品収納空間Ｓ２を形成している。
【００２３】
側壁部２１は、図３で示されるように、内壁部２１Ａの外側に外壁部２１ＢがＵ状に曲げられた２重構造となっており、収納キャビネット１の据え付け時に、外壁部２１Ｂの後端面が壁Ｗに突き当たるようになっている。この側壁部２１の内壁部２１Ａ側と仕切部２４の側壁には、前後方向に長い芯受設置開口２１ａ，２４ａが形成されているとともに、後部側の横スリット２０ａにつながるように、縦スリット２１ｂ，２４ｂが形成されている。なお、縦スリット２１ｂの下端側は、円弧状に形成されていて、紙切板４の支承部Ｔとなる。
【００２４】
芯受けセット３は、図５で示されるように、支持台３０と、戻しバネ３１と、芯受け３２と、カバー板３３とからなるもので、支持台３０の支持棒３０ａに戻しバネ３１の一端を固定した後、芯受け３２をこの戻しバネ３１を覆うように支持台３０に取り付け、支持台３０の上部をカバー板３３で覆ったものである。この場合、芯受け３２は、一端側が、支持台３０の支持棒３０ａ等に回動自在に取り付けられるが、その回動によって戻しバネ３１が弾性変形するため、これが回動しても、この戻しバネ３１の作用によって、常に支持台３０に直交する位置まで戻される。この芯受けセット３は、左右対称のものが２組設けられていて、ホルダ本体２の後部側から芯受設置開口２１ａ，２４ａ内に差し込まれることにより、このホルダ本体２に取り付けられる。
【００２５】
紙切板４は、図４で示されるように、前端側にやや下向きに傾斜したペーパーカット部４０が形成され、後端側に左右に突き出る棒状の支持部４１，４２が形成されたものである。この紙切板４は、ホルダ本体２の横スリット２０ａを介して、ロール収納空間Ｓ１内に差し込まれ、支持部４１側が側壁部２１の支承部Ｔに、支持部４２側が仕切部２４の支承部Ｔにそれぞれ回動自在に支持される。なお、軸押え１０は、側壁部２１の縦スリット２１ｂに差し込まれて、紙切板４の支持部４１が上方に飛び出すのを防止するものである。
【００２６】
部品組付ボックス５は、レバー部材６と、コイルバネ７と、バネカバー８と、板バネ９とを組み込んで、これらをホルダ本体２の部品収納空間Ｓ２に組み付けるためのものであり、本来的には、ホルダ本体２の一部をなすものである。この部品組付ボックス５は、上面側と下面側の一部が開放された箱状のものであり、図４で示されるように、上端側に外方に突き出すフランジ部５０が形成されているとともに、前方側の突出部５１の上端に、コイルバネ７の連結部５１ａが形成されている。
【００２７】
また、この部品組付ボックス５の両側面には、ホルダ本体２の縦スリット２４ｂに差し込まれる突状部５２が形成され、この突起部５２下方に、紙切板４の支持部４２を差し込む接続孔５３が形成されている。さらに、この部品組付ボックス５内には、図６で示されるように、接続孔５３周りと中央部とに、レバー部材６を回動自在に支持する軸受部５４，５５が形成されているとともに、軸受部５５と直交する向きに、板バネ９を回動しないように支持する支持板部５６が形成されている。
【００２８】
レバー部材６は、紙切板４の支持部４２に、この紙切板４と一体的に回転するように取り付けられるものであり、図４で示されるように、カム板６０の内外面に同心状の軸部６１，６２が形成されているとともに、カム板６０の内面側にコイルバネ７の連結部６３が形成されたものである。カム板６０の外周部には、紙切板４の回動を規制する爪部６０ａが形成されているとともに、軸部６２には、紙切板４の支持部４２を差し込む取付孔６２ａが形成されている。なお、軸部６１の端部側は小軸部６１ａとなっている。
【００２９】
コイルバネ７は、紙切板４のカット部４０側を芯受け３２上のロールペーパーＲ側に加圧するものであり、伸縮時の振れや振動音を減らすために、外周部に軟質樹脂から形成されたパイプ状のバネカバー８が嵌め込まれる。
【００３０】
板バネ９は、一端側が上下方向にＵ状に曲げられた取付部９０となっているとともに、他端部側が水平なバネ部９１となっていて、バネ部９１の端部側上部に、レバー部材６の爪部６０ａが係脱する突起部９１ａが形成されている。
【００３１】
後部カバー１１は、壁Ｗに埋め込まれたホルダ本体２の天板部２０上を覆うものであり、棚板１２は、外部に露出するホルダ本体２の天板部２０上を覆うものである。この棚板１２上にはトイレ中の小物、例えば消臭剤や花瓶等が置かれる。
【００３２】
つぎに、この収納キャビネット１のロールペーパーホルダーＡ側の組み立て手順について説明する。
【００３３】
まず、板バネ９の取付部９０に部品組付ボックス５の支持板部５６を圧入して、この板バネ９を部品組付ボックス５に取り付ける。つぎに、互いに対称に形成された２つのレバー部材６，６を、図６の鎖線で示されるように、部品組付ボックス５の軸受部５４，５５上に互いに対向するように載置する。この場合、軸部６２の小軸部６１ａを凹状の軸受部５５上に支持させるとともに、軸部６２を凹状の軸受部５４上に支持させる。つづいて、部品組付ボックス５の連結孔５３内に２つの紙切板４の支持部４２を挿入し、この支持部４２をレバー部材６の取付孔６２ａに差し込む。この場合、取付孔６２ａと支持部４２とには、図示されないが、内外周部に回り止めの凹凸部が形成されていて、レバー部材６は紙切板４と一体的に回動するように接続される。
【００３４】
つぎに、外周部がバネカバー８で覆われたコイルバネ７の端部を、レバー部材６の連結部６３と部品組付ボックス５の連結部５１ａとに接続して、このコイルバネ７を部品組付ボックス５に組み付ける。この場合、レバー部材６や紙切板４には、コイルバネ７によって一定方向に向かって回動するような力が付与される。つづいて、レバー部材６、コイルバネ７、バネカバー８及び板バネ９が組み込まれた部品組付ボックス５を、ホルダ本体２の部品収納空間Ｓ２中に嵌め込むとともに、この部品組付ボックス５内に支持部４２が差し込まれた一対の紙切板４を、ホルダ本体２の横スリット２０ａと縦スリット２１ｂを利用して、ロール収納空間Ｓ１内に移動させる。
【００３５】
この場合、部品組付ボックス５の突状部５２をホルダ本体２の縦スリット２４ｂ中に差し込みつつ、この部品組付ボックス５を、フランジ部５０がホルダ本体２の天板部２０に突き当たるまで圧入する。このことにより、紙切板４の支持部４２は、ホルダ本体２の縦スリット２４ｂ側の支承部Ｔに回動自在に支持される。また、縦スリット２１ｂ側の支承部Ｔに置かれた紙切板４の支持部４１も、この縦スリット２１ｂに軸押え１０を圧入することにより、ホルダ本体２側に回動自在に支持される。
【００３６】
つぎに、芯受けセット３をホルダ本体２側に組み付けた後、ホルダ本体２の天板部２０上に後部カバー１１と棚板１２とをねじ等により取り付ければ、このロールペーパーホルダーＡの組み立て作業は終了する。なお、芯受けセット３は部品組付ボックス５等より先にホルダ本体２に取り付けてもよい。
【００３７】
つぎに、このロールペーパーホルダーＡの動作を図７及び図８を参照しつつ説明する。
レバー部材６は、図７で示されるように、コイルバネ７によって軸部６１，６２を中心に時計回り方向のモーメントを受けるため、レバー部材６に支持部４２を介してつながる紙切板４も時計回り方向のモーメントを受け、この紙切板４のカット部４０側が、芯受け３２に回動自在に支持されるロールペーパーＲ側に加圧される。このため、紙切板４のロールペーパーＲに対するがたつきがなくなり、使用者は、ロールペーパーＲから繰り出されたペーパーを片手で容易にカットできる。
【００３８】
一方、ロールペーパーＲを使い尽くし、筒心Ｒ１のみが芯受け３２に支持された状態になると、筒心Ｒ１の除去と新たなロールペーパーＲの装着が必要となる。この場合、紙切板４のカット部４０側を、コイルバネ７の弾性力に抗しつつ芯受け３２から遠ざかる向きに回動させる。そして、紙切板４のカット部４０がホルダ本体２の天板部２０近くまで達すると、図８で示されるように、レバー部材６の爪部６０ａが、板バネ９の突起部９１ａに当たり、この板バネ９のバネ部９１を下向きに弾性変形させて、この突起部９１ａを乗り越える。このことにより、コイルバネ７の作用により爪部６０ａが突起部９１ａに係合して、レバー部材６の回動は規制され、紙切板４は、図８で示される、ロールペーパーＲの着脱の邪魔にならない位置に保持される。
【００３９】
このため、作業者は、紙切板４に邪魔されることなく、筒芯Ｒ１を前方に引いて、これをロール収納空間Ｓ１から取り出した後、新たなロールペーパーＲをロール収納空間Ｓ１中の芯受け３２側に加圧して、これを芯受け３２に回動自在に支持させることができる。そして、ロールペーパーＲの装着後、紙切板４のカット部４０側を芯受け３２側に回動させれば、レバー部材６の爪部６０ａが再び板バネ９の突起部９１ａを乗り越えるため、この紙切板４のカット部４０側が、コイルバネ７の弾性力によって、ロールペーパーＲに加圧され、このロールペーパーＲの使用ができるようになる。
【００４０】
なお、このロールペーパーホルダーＡでは、一度に２つのロールペーパーＲがロール収納空間Ｓ１中に保持されるが、レバー部材６やコイルバネ７が２つずつ設けられているとともに、板バネ９のバネ部９１も２つあるため、各ロール収納空間Ｓ１中のロールペーパーＲは、各々独立に使用され、かつ、各々独立に着脱される。
【００４１】
以上のように、このロールペーパーホルダーＡでは、ロールペーパーＲの着脱時の紙切板４の保持を、レバー部材６の爪部６０ａと、板バネ９とによって行なうことができ、従来のロールペーパーホルダーに設けられているカッターホルダー１０５に比べて、紙切板４の保持機構の構成の単純化を図ることができ、その分、ロールペーパーホルダーの製作費の低減や製作時間の短縮を図ることができる。
【００４２】
すなわち、従来のロールペーパーホルダーでは、カッターホルダ１０５用に、少なくとも、バネ部材とピン部材とが必要であるが、このロールペーパーホルダーＡでは、爪部６０ａはコイルバネ７用のレバー部材６側に形成されるため、特別な部材としては板バネ９だけがあればよく、その分、紙切板４の保持機構の構成の単純化を図ることができる。また、このロールペーパーホルダーＡでは、紙切板４の保持機構として、板バネ９のみをホルダ本体２側に組み付ければよく、従来のロールペーパーホルダーのようなケーシング１０５ａを設けなくても、ホルダ本体２の形状が複雑になることもない。したがって、この点でも紙切板４の保持機構の構成の単純化を図ることができる。
【００４３】
また、このロールペーパーホルダーＡでは、レバー部材６、コイルバネ７、板バネ９等がすべて紙切板４の支持部４２側に配置されるため、これらをすべてホルダ本体２内に収めることができる。このため、これらの部品が外部から見えることはなく、このロールペーパーホルダーＡの外観をすっきりとした、見栄えのよいものとすることができる。
【００４４】
さらに、このロールペーパーホルダーＡでは、部品組付ボックス５（ホルダ本体２）側にも軸受部５４，５５を設けて、レバー部材６を支持しているため、このレバー部材６にコイルバネ７を介して力を加えても、このレバー部材６や紙切板４の支持部４２等に変形が生じることはなく、これらの寿命を延ばすことができる。また、このレバー部材６が振れることなくスムーズに回動できるため、紙切板４もがたつくことなく滑らかに回動する。
【００４５】
また、このロールペーパーホルダーＡでは、ホルダ本体２とは別体に部品組付ボックス５を設け、この中にレバー部材６等の部品をすべて組み付けて、これをホルダ本体２側に取り付けるようにしているため、部品の組み付けの容易化を図ることができる。この場合、比較的複雑な構成となるレバー部材６の軸受部５４，５５や板バネ９の支持板部５６を部品組付ボックス５側に設けることができるため、その分、ホルダ本体２側の構成が単純化され、このホルダ本体２の樹脂成形による製作の容易化を図ることができる。
【００４６】
なお、部品組付ボックス５はこれをホルダ本体２と一体に形成してもよい。この場合、板バネ９もホルダ本体２側と一体に形成し、紙切板４の保持機構側の構成の更なる単純化を図るようにしてもよい。
【００４７】
また、紙切板４のカット部４０側をロールペーパーＲ側に加圧する弾性部材には、コイルバネ７に限らず、板バネやぜんまいバネ、又はゴム弾性を有する樹脂（例えばエラストマー）を用いてもよい。
【００４８】
さらに、紙切板４の支持部４１，４２は、棒状（突状）のものでなく、凹状のものであってもよい。この場合、ホルダ本体２側やレバー部材６側にこの凹状部に嵌め込まれる突状部を設ける必要がある。
【００４９】
また、ロールペーパーホルダＡは、２連式に限らず、ロールペーパーＲを１つしか保持できないものや、ロールペーパーＲを多数保持できる多連式のものであってもよい。また、ロールペーパーホルダＡは、収納部Ｂと一体にならない、独立のものであってもよい。
【００５０】
図９は紙切板４加圧用の弾性部材として板バネ７Ａを用いるとともに、紙切板４保持用の板バネ９Ａを部品組付ボックス５Ａと一体に形成したロールペーパーホルダーＡを示している。
【００５１】
このロールペーパーホルダーＡでは、板バネ７Ａは、コの字形に曲げられた取付部７０の内側に爪部７０ａが形成され、この爪部７０ａを部品組付ボックス５Ａの孔部５７に引っ掛けるようにして、この部品組付ボックス５Ａに取り付けられる。この場合、この板バネ７Ａの自由端側が、突部６４に突き当てられて、このレバー部材６Ａに連結されているため、このレバー部材６Ａには、板バネ７Ａによって、これを時計回り方向に回動させるような弾性力が与えられる。したがって、このロールペーパーホルダーＡにおいても、前述のロールペーパーホルダーＡと同様な効果を得ることができる。特に、このロールペーパーホルダーＡでは、板バネ９Ａが部品組付ボックス５Ａと一体的に形成されているため、その分、製作費の低減や製作時間の短縮を図ることができる。
【００５２】
【発明の効果】
この発明は、以上のように構成されているので、以下に記載されるような効果を奏する。
【００５３】
この発明の請求項１記載の発明によれば、ロールペーパー着脱時における紙切板の保持機構を、レバー部材の爪部と板バネとによって構成できるため、従来のロールペーパーホルダーに比べて、この保持機構の構成の単純化を図ることができ、このロールペーパーホルダーの製作費の低減や製作時間の短縮を図ることができる。また、この発明では、紙切板の保持機構として板バネのみを追加すればよいため、ホルダ本体の形状もそれ程複雑にならず、従来のロールペーパーホルダーのカッターホルダのように、特別なケ−シングを設ける必要もない。さらに、この発明では、レバー部材、弾性部材、板バネ等が紙切板の支持部側に配置されるため、これらの部品をホルダ本体内に収納でき、このロールペーパーホルダーの外観をすっきりとした見栄えのよいものとすることができる。
【００５４】
この発明の請求項２記載の発明によれば、レバー部材がたつくことなく回動できるため、紙切板の動きも滑らかなものとすることができる。また、レバー部材等の寿命を延ばすこともできる。
【００５５】
この発明の請求項３記載の発明によれば、レバー部材等の部品の組み付けを容易に行なうことができるようになるとともに、ホルダ本体側の構造の単純化を図ることができ、このホルダ本体が樹脂成形等によって容易に製作できるようになる。
【００５６】
この発明の請求項４記載の発明によれば、独立した板バネが不要になる分、紙切板の保持機構の構成の単純化を図ることができ、請求項１記載の発明と同様な効果を得ることができる。
【図面の簡単な説明】
【図１】この発明の一実施の形態に係るロールペーパーホルダーを備えた収納キャビネットの外観斜視図である。
【図２】図１で示される収納キャビネットの側面図である。
【図３】ホルダ本体等の外観斜視図である。
【図４】ロールペーパーホルダーの部品構成を示す図である。
【図５】芯受けユニットの分解斜視図である。
【図６】部品組付ボックスの平面図である。
【図７】紙切板の動作説明図である。
【図８】紙切板の別な動作説明図である。
【図９】他の実施の形態に係るロールペーパーホルダーの紙切板周りの側断面図である。
【図１０】従来のロールペーパーホルダーの外観斜視図である。
【図１１】従来のロールペーパーホルダーの紙切板の動作説明図である。
【符号の説明】
１    ホルダ本体
４    紙切板
５，５Ａ  部品組付ボックス
６，６Ａ  レバー部材
７    コイルバネ（弾性部材）
７Ａ  板バネ（弾性部材）
３２    芯受け
４０    カット部
４１，４２  支持部
５３    接続孔
５４，５５  軸受部
６０ａ  ストッパー部
９１ａ  突起部
【図１】
0003831064.tif 000002
【図２】
0003831064.tif 000003
【図３】
0003831064.tif 000004
【図４】
0003831064.tif 000005
【図５】
0003831064.tif 000006
【図６】
0003831064.tif 000007
【図７】
0003831064.tif 000008
【図８】
0003831064.tif 000009
【図９】
0003831064.tif 000010
【図１０】
0003831064.tif 000011
【図１１】
0003831064.tif 000012